(57)【要約】【課題】圧力媒体排除されたハウジングを用いて運転可能となり、かつ連行ジョイントの連行体の十分な冷却および潤滑を有するようなアキシャルピストン機械を提供する。【解決手段】伝動軸４とシリンダブロック７との間に、該シリンダブロックを連行する連行ジョイント３０が配置されており、該連行ジョイント（３０）が、連行体Ｍ１；Ｍ２；Ｍ３；Ｍ４を有し、該連行体が、伝動軸４内とシリンダブロック７内とに支持されており、連行ジョイント３０のための潤滑装置８０が設けられており、該潤滑装置によって連行体Ｍ１；Ｍ２；Ｍ３；Ｍ４に、該連行体を冷却しかつ潤滑するための潤滑剤が、アキシャルピストン機械１のハウジング２に配置された潤滑剤接続部８１から供給可能である。【選択図】図１
2015200317.tif 000002
【特許請求の範囲】
【請求項１】
斜軸構造のハイドロスタティック式のアキシャルピストン機械（１）であって、所定の回転軸線（Ｒｔ）周りに回転可能にハウジング（２）内に配置された、伝動フランジ（３）を備えた伝動軸（４）と、所定の回転軸線（Ｒｚ）周りに回転可能に当該アキシャルピストン機械（１）のハウジング（２）内に配置されたシリンダブロック（７）とを備え、該シリンダブロック（７）が、複数のピストン穴（８）を備えており、該ピストン穴（８）内に各１つのピストン（１０）が長手方向摺動可能に配置されており、該ピストン（１０）が、前記伝動フランジ（３）に枢着式に取り付けられており、前記伝動軸（４）と前記シリンダブロック（７）との間に、該シリンダブロック（７）を連行する連行ジョイント（３０）が配置されており、該連行ジョイント（３０）が、滑動体または転動体として形成された少なくとも１つの連行体（Ｍ１；Ｍ２；Ｍ３；Ｍ４）を有し、該連行体（Ｍ１；Ｍ２；Ｍ３；Ｍ４）が、前記伝動軸（４）内と前記シリンダブロック（７）内とに支持されている、斜軸構造のハイドロスタティック式のアキシャルピストン機械（１）において、前記連行ジョイント（３０）のための潤滑装置（８０）が設けられており、該潤滑装置（８０）によって前記連行体（Ｍ１；Ｍ２；Ｍ３；Ｍ４）に、前記連行体（Ｍ１；Ｍ２；Ｍ３；Ｍ４）を冷却しかつ潤滑するための潤滑剤が、当該アキシャルピストン機械（１）のハウジング（２）に配置された潤滑剤接続部（８１）から供給可能であることを特徴とする、斜軸構造のハイドロスタティック式のアキシャルピストン機械。
【請求項２】
前記潤滑装置（８０）が、前記伝動軸（４）に配置されていて、該伝動軸（４）内に配置された潤滑剤通路（８２）を有している、請求項１記載のハイドロスタティック式のアキシャルピストン機械。
【請求項３】
前記潤滑剤通路（８２）が、前記伝動軸（４）に配置された、前記潤滑剤接続部（８１）に接続されている１つの潤滑剤供給孔（８３）と、前記伝動軸（４）に配置された少なくとも１つの潤滑孔（８４；８５；８６；８７）とを有しており、該潤滑孔（８４；８５；８６；８７）が、前記潤滑剤供給孔（８３）に接続されており、さらに前記潤滑孔（８４；８５；８６；８７）が、前記伝動軸（４）の周面にまで延びていて、該周面に開口（９０；９１；９２；９３）を備えており、前記潤滑孔（８４；８５；８６；８７）の前記開口（９０；９１；９２；９３）は、前記伝動軸（４）の回転時に前記潤滑剤供給孔（８３）と前記潤滑孔（８４；８５；８６；８７）とを介して供給された潤滑剤が、遠心力の発生に基づいて前記連行体（Ｍ１；Ｍ２；Ｍ３；Ｍ４）に向かって流れるように前記周面に配置されている、請求項２記載のハイドロスタティック式のアキシャルピストン機械。
【請求項４】
前記連行体（Ｍ１；Ｍ２；Ｍ３；Ｍ４）が、前記伝動軸（４）に設けられたベッド部（Ｂ１）と、前記シリンダブロック（７）に設けられたベッド部（Ｂ２）とに収容されている、請求項１から３までのいずれか１項記載のハイドロスタティック式のアキシャルピストン機械。
【請求項５】
前記潤滑孔（８４；８５；８６；８７）が、前記連行体（Ｍ１；Ｍ２；Ｍ３；Ｍ４）に向けられている、請求項３または４記載のハイドロスタティック式のアキシャルピストン機械。
【請求項６】
全周にわたって分配されて配置された複数の連行体（Ｍ１；Ｍ２；Ｍ３；Ｍ４）が設けられていて、各連行体（Ｍ１；Ｍ２；Ｍ３；Ｍ４）のためにそれぞれ１つの潤滑孔（８４；８５；８６；８７）が設けられている、請求項３から５までのいずれか１項記載のハイドロスタティック式のアキシャルピストン機械。
【請求項７】
前記潤滑剤供給孔（８３）が、前記伝動軸（４）の回転軸線（Ｒｔ）に対して同軸に配置された長手方向孔として前記伝動軸（４）に形成されている、請求項３から６までのいずれか１項記載のハイドロスタティック式のアキシャルピストン機械。
【請求項８】
前記潤滑剤供給孔（８３）が、前記伝動軸（４）をハウジング（２）内に回転可能に支承している軸受装置（５ｂ）に向かって延びている、請求項３から７までのいずれか１項記載のハイドロスタティック式のアキシャルピストン機械。
【請求項９】
前記伝動軸（４）が、ハウジング（２）内にシリンダブロック（７）の両側で支承されており、ハウジング（２）における前記伝動軸（４）の支承部が、伝動フランジ側の軸受装置（５ａ）と、シリンダブロック側の軸受装置（５ｂ）とを有しており、前記潤滑剤供給孔（８３）が、シリンダブロック側の軸受装置（５ｂ）に向かって延びている、請求項３から８までのいずれか１項記載のハイドロスタティック式のアキシャルピストン機械。
【請求項１０】
前記潤滑剤供給孔（８３）が、前記シリンダブロック側の軸受装置（５ｂ）の範囲に供給開口（９５）を備えており、該供給開口（９５）が、当該アキシャルピストン機械（１）のハウジング（２）に配置された前記潤滑剤接続部（８１）に接続されている、請求項８または９記載のハイドロスタティック式のアキシャルピストン機械。
【請求項１１】
前記供給開口（９５）が、前記伝動軸（４）の軸方向の一方の端面に形成されている、請求項１０記載のハイドロスタティック式のアキシャルピストン機械。
【請求項１２】
前記シリンダブロック側の軸受装置（５ｂ）と、前記伝動軸（４）の前記端面と、ハウジング（２）との間に、潤滑剤室（９６）が形成されており、該潤滑剤室（９６）が、前記潤滑剤接続部（８１）に接続されている、請求項８から１１までのいずれか１項記載のハイドロスタティック式のアキシャルピストン機械。
【請求項１３】
前記連行体（Ｍ１；Ｍ２；Ｍ３；Ｍ４）が、２つの半割体（Ｍ１ａ，Ｍ１ｂ；Ｍ２ａ，Ｍ２ｂ；Ｍ３ａ，Ｍ３ｂ；Ｍ４ａ，Ｍ４ｂ）を備えた連行体ペア（Ｐ１；Ｐ２；Ｐ３；Ｐ４）として形成されており、前記半割体が、前記伝動軸（４）と前記シリンダブロック（７）とに交互に配置されていて、接触面（ＢＦ）によって互いに接触しており、前記連行体ペア（Ｐ１；Ｐ２；Ｐ３；Ｐ４）が、前記シリンダブロック（７）に所属のシリンダブロック側の半割体（Ｍ１ａ；Ｍ２ａ；Ｍ３ａ；Ｍ４ａ）と、前記伝動軸（４）に所属の伝動軸側の半割体（Ｍ１ｂ；Ｍ２ｂ；Ｍ３ｂ；Ｍ４ｂ）とを有しており、前記連行体ペア（Ｐ１；Ｐ２；Ｐ３；Ｐ４）の前記シリンダブロック側の半割体（Ｍ１ａ；Ｍ２ａ；Ｍ３ａ；Ｍ４ａ）が、前記シリンダブロック（７）に設けられたベッド部（Ｂ２）内に収容されており、前記連行体ペア（Ｐ１；Ｐ２；Ｐ３；Ｐ４）の前記伝動軸側の半割体（Ｍ１ｂ；Ｍ２ｂ；Ｍ３ｂ；Ｍ４ｂ）が、前記伝動軸（４）に設けられたベッド部（Ｂ１）内に収容されている、請求項１から１２までのいずれか１項記載のハイドロスタティック式のアキシャルピストン機械。
【請求項１４】
前記潤滑装置（８０）によって、前記半割体（Ｍ１ａ，Ｍ１ｂ；Ｍ２ａ，Ｍ２ｂ；Ｍ３ａ，Ｍ３ｂ；Ｍ４ａ，Ｍ４ｂ）に、前記接触面（ＢＦ）の範囲でかつ／または前記ベッド部（Ｂ１，Ｂ２）の範囲で、潤滑剤が供給可能である、請求項４から１３までのいずれか１項記載のハイドロスタティック式のアキシャルピストン機械。
【請求項１５】
前記連行ジョイント（３０）が、前記シリンダブロック（７）と前記伝動軸（４）とを回転同期的に回転させるための回転同期式の連行ジョイントとして形成されている、請求項１から１４までのいずれか１項記載のハイドロスタティック式のアキシャルピストン機械。
【請求項１６】
前記連行ジョイント（３０）が、コーンビーム型半割ローラジョイント（３１）として形成されており、該コーンビーム型半割ローラジョイント（３１）が、半割体（Ｍ１ａ，Ｍ１ｂ；Ｍ２ａ，Ｍ２ｂ；Ｍ３ａ，Ｍ３ｂ；Ｍ４ａ，Ｍ４ｂ）として２つの半円筒状の半割ローラ（５０ａ，５０ｂ；５１ａ，５１ｂ；５２ａ，５２ｂ；５３ａ，５３ｂ）を備えた連行体ペア（Ｐ１；Ｐ２；Ｐ３；Ｐ４）としての少なくとも１つのローラペア（５０；５１；５２；５３）を有しており、前記半円筒状の半割ローラ（５０ａ，５０ｂ；５１ａ，５１ｂ；５２ａ，５２ｂ；５３ａ，５３ｂ）が、所定の回転軸線（ＲＲｔ；ＲＲｚ）にまで平坦にされており、前記半割ローラ（５０ａ，５０ｂ；５１ａ，５１ｂ；５２ａ，５２ｂ；５３ａ，５３ｂ）が、平坦にされた側で平坦な滑り面（ＧＦ）を接触面（ＢＦ）として形成しており、該接触面（ＢＦ）において、前記ローラペア（５０；５１；５２；５３）の前記半割ローラ（５０ａ，５０ｂ；５１ａ，５１ｂ；５２ａ，５２ｂ；５３ａ，５３ｂ）が、互いに接触して面接触を形成している、請求項１から１５までのいずれか１項記載のハイドロスタティック式のアキシャルピストン機械。
【請求項１７】
前記連行体（Ｍ１；Ｍ２；Ｍ３；Ｍ４）、特に前記半割ローラ（５０ａ，５０ｂ；５１ａ，５１ｂ；５２ａ，５２ｂ；５３ａ，５３ｂ）が、半径方向でピストン（１０）よりも内側でかつ前記伝動軸（４）および前記シリンダブロック（７）の回転軸線（Ｒｔ，Ｒｚ）から間隔を置いて配置されている、請求項１から１６までのいずれか１項記載のハイドロスタティック式のアキシャルピストン機械。
【請求項１８】
各ローラペア（５０；５１；５２；５３）が、前記シリンダブロック（７）に所属のシリンダブロック側の半割ローラ（５０ａ；５１ａ；５２ａ；５３ａ）と、前記伝動軸（４）に所属の伝動軸側の半割ローラ（５０ｂ；５１ｂ；５２ｂ；５３ｂ）とを有しており、各ローラペア（５０；５１；５２；５３）の前記シリンダブロック側の半割ローラ（５０ａ；５１ａ；５２ａ；５３ａ）が、ベッド部（Ｂ２）としての円筒状、特に部分円筒状の、シリンダブロック側の収容部（５５ａ；５６ａ；５７ａ；５８ａ）内に収容されており、各ローラペア（５０；５１；５２；５３）の前記伝動軸側の半割ローラ（５０ｂ；５１ｂ；５２ｂ；５３ｂ）が、ベッド部（Ｂ１）としての円筒状、特に部分円筒状の、伝動軸側の収容部（５５ｂ；５６ｂ；５７ｂ；５８ｂ）内に収容されている、請求項１６または１７記載のハイドロスタティック式のアキシャルピストン機械。
【請求項１９】
当該アキシャルピストン機械（１）が、両回転方向で運転可能であり、各回転方向のために、前記シリンダブロック（７）を回転同期的に連行するためのそれぞれ少なくとも１つの連行体（Ｍ１；Ｍ２；Ｍ３；Ｍ４）が設けられている、請求項１から１８までのいずれか１項記載のハイドロスタティック式のアキシャルピストン機械。
【請求項２０】
当該アキシャルピストン機械（１）が、固定の押しのけ容積を有する定容量型機械として形成されている、請求項１から１９までのいずれか１項記載のハイドロスタティック式のアキシャルピストン機械。
【請求項２１】
当該アキシャルピストン機械（１）が、可変の押しのけ容積を有する可変容量型機械として形成されており、前記伝動軸（４）の回転軸線（Ｒｔ）に関する前記シリンダブロック（７）の回転軸線（Ｒｚ）の傾斜が可変である、請求項１から１９までのいずれか１項記載のハイドロスタティック式のアキシャルピストン機械。
【発明の詳細な説明】
【技術分野】
【０００１】
本発明は、斜軸構造のハイドロスタティック式（流体静力学式）のアキシャルピストン機械であって、所定の回転軸線周りに回転可能にハウジング内に配置された、伝動フランジを備えた伝動軸と、所定の回転軸線周りに回転可能に当該アキシャルピストン機械のハウジング内に配置されたシリンダブロックとを備え、該シリンダブロックが、複数のピストン穴を備えており、該ピストン穴内に各１つのピストンが長手方向摺動可能に配置されており、該ピストンが、前記伝動フランジに枢着式に取り付けられており、前記伝動軸と前記シリンダブロックとの間に、該シリンダブロックを連行する連行ジョイントが配置されており、該連行ジョイントが、滑動体または転動体として形成された少なくとも１つの連行体を有し、該連行体が、前記伝動軸内と前記シリンダブロック内とに支持されている、斜軸構造のハイドロスタティック式のアキシャルピストン機械に関する。
【背景技術】
【０００２】
斜軸構造のハイドロスタティック式のアキシャルピストン機械では、シリンダブロック内に長手方向摺動可能に配置されたピストンが、一般にボールジョイントによって伝動軸の伝動フランジに取り付けられている。ピストンの力はピストンを介して、伝動軸に設けられた伝動フランジに支持されて、トルクを発生させる。斜軸構造のアキシャルピストン機械では、原理的な理由から、回転時に、ピストンを内蔵したシリンダブロックの連行が行われない。シリンダブロックを連行するためには、連行ジョイントが必要となり、この連行ジョイントは伝動軸とシリンダブロックとの間に配置されている。この場合、ツェッパ（Rzeppa）原理またはトリポード（Tripoden）原理による連行ジョイントを使用することが既に知られている。このような連行ジョイントでは、シリンダブロックの連行が、転動体または滑動体として形成された少なくとも１つの連行体によって行われる。この連行体は、シリンダブロックを連行するために伝動軸とシリンダブロックとの間でトルクを伝達する。
【０００３】
このような形式の、斜軸構造のアキシャルピストン機械は、斜板構造のアキシャルピストン機械に比べて著しく高い最大許容回転数を有するので、斜軸構造のアキシャルピストン機械はハイドロモータとしての使用のために有利である。
【０００４】
ハイドロスタティック式のアキシャルピストン機械では、一般に、回転する伝動軸と、回転するシリンダブロックとが内蔵されているハウジングが、圧力媒体、たとえばハイドロリックオイルで充填されており、これにより構成部分の冷却および潤滑が確保されている。これにより、アキシャルピストン機械の運転中に伝動軸が回転し、かつシリンダブロックが回転すると、撹拌損失（Planschverlust）が生じる。撹拌損失は、回転数が上昇するにつれて、過比例的に増大する。この撹拌損失は付加的なエネルギ消費となり、このような付加的なエネルギ消費は、ポンプとして形成されたアキシャルピストン機械の場合では、駆動装置によって望ましくない損失出力として提供されなければならず、またモータとして形成されたアキシャルピストン機械の場合では、アウトプット出力として利用されない。特に、回転する構成部分の高い回転数においては、この損失出力が、かなりの大きさを占める恐れがあり、これによりアキシャルピストン機械では、性能および使用能力が、高い回転数に向かって制限されている。
【０００５】
これらの不都合を回避するために、ハイドロスタティック式のアキシャルピストン機械のハウジングから圧力媒体を排除し、これにより、回転する構成部分の撹拌により生ぜしめられる損失を減少させ、かつ高い回転数におけるアキシャルピストン機械の効率を向上させることが既に知られている。
【０００６】
しかし、圧力媒体排除されたハウジングを備えた斜軸構造のハイドロスタティック式のアキシャルピストン機械では、連行ジョイントの連行体の十分な冷却および潤滑がもはや与えられていない。
【発明の概要】
【発明が解決しようとする課題】
【０００７】
本発明の根底を成す課題は、冒頭で述べた形式のアキシャルピストン機械を改良して、圧力媒体排除されたハウジングを用いて運転可能となり、かつそれと同時に連行ジョイントの連行体の十分な冷却および潤滑を有するようなアキシャルピストン機械を提供することである。
【課題を解決するための手段】
【０００８】
この課題を解決するために本発明のアキシャルピストン機械の構成では、前記連行ジョイントのための潤滑装置が設けられており、該潤滑装置によって前記連行体に、前記連行体を冷却しかつ潤滑するための潤滑剤が、当該アキシャルピストン機械のハウジングに配置された潤滑剤接続部から供給可能であるようにした。
【発明の効果】
【０００９】
連行ジョイントのこのような潤滑装置を用いると、簡単にかつ僅かな構成手間をかけるだけで、連行ジョイントの連行体に潤滑剤、たとえばハイドロリックオイルを供給することができる。潤滑剤は、アキシャルピストン機械のハウジングに設けられた潤滑剤接続部を介して供給されるので、圧力媒体排除されたハウジングを有するアキシャルピストン機械の運転時に、潤滑装置を介して供給された潤滑剤によって連行ジョイントの連行体の、特に高い回転数における機械の運転のために十分となる冷却および潤滑が可能となる。
【００１０】
本発明の有利な実施態様では、潤滑装置が、伝動軸に配置されていて、該伝動軸内に配置された潤滑剤通路を有している。このように構成されていると、ハウジングに設けられた潤滑剤接続部を介して供給される潤滑剤の、連行ジョイントの連行体への供給が、僅かな構成手間をかけるだけで確保され得る。圧力媒体排除されたハウジングを有するアキシャルピストン機械の運転時では、伝動軸に配置された潤滑剤通路を介して、ハウジングに設けられた潤滑剤接続部から連行ジョイントの連行体へ潤滑剤が簡単に案内され得る。
【００１１】
本発明の別の有利な実施態様では、前記潤滑剤通路が、伝動軸に配置された、前記潤滑剤接続部に接続されている１つの潤滑剤供給孔と、伝動軸に配置された少なくとも１つの潤滑孔とを有しており、該潤滑孔が、前記潤滑剤供給孔に接続されており、さらに前記潤滑孔が、伝動軸の周面にまで延びていて、該周面に開口を備えており、前記潤滑孔の前記開口は、伝動軸の回転時に前記潤滑剤供給孔と前記潤滑孔とを介して供給された潤滑剤が、遠心力の発生に基づいて前記連行体に向かって流れるように前記周面に配置されている。したがって、連行ジョイントの連行体に潤滑剤を供給するために、アキシャルピストン機械の伝動軸に潤滑剤供給孔が加工成形されている。この潤滑剤供給孔には、各連行体のために、潤滑孔としてそれぞれ１つの横方向孔が接続されている。この横方向孔は伝動軸に配置されていて、伝動軸の外周面に開口を備えており、潤滑剤供給孔を介して供給された潤滑剤は、この開口を通じて流出して、直接に、連行ジョイントの対応する連行体へ向かって流れることができる。潤滑剤供給孔および横方向として形成された対応する潤滑孔は、アキシャルピストン機械の伝動軸に、僅かな構成手間をかけるだけで製作され得る。したがって、伝動軸の回転時には、潤滑剤が遠心力作用に基づいて連行体に向かって流れるので、連行体が、回転する伝動軸において、潤滑剤供給孔と潤滑孔とを介して供給されかつ連行体を流過する潤滑剤によって簡単に潤滑され、かつ冷却され得ることが達成される。
【００１２】
本発明のさらに別の有利な実施態様では、連行体が、伝動軸に設けられたベッド部（支持台）と、シリンダブロックに設けられたベッド部とに収容されている。この場合、本発明における潤滑装置を用いると、両ベッド部の範囲における連行体への潤滑剤の的確な供給が可能になる。
【００１３】
潤滑孔が、連行体に向けられていると特に有利である。これにより、潤滑剤供給孔と潤滑孔とを介して供給された潤滑剤が、遠心力作用により直接に連行体に向かって流れるので、連行体が合目的的に潤滑剤によって流過され、そして少量の潤滑剤によって的確に冷却されかつ潤滑され得ることが簡単に達成される。
【００１４】
シリンダブロックを連行するための、伝動軸とシリンダブロックとの間で伝達したい連行トルクに相応して、伝達したい連行トルクが小さい場合には、唯一つの連行体を設けるだけで十分となり得る。伝動軸とシリンダブロックとの間で伝達したい連行トルクが比較的高い場合には、連行体の数を増やすことができる。全周にわたって分配されて配置された複数の連行体が設けられている場合には、各連行体のためにそれぞれ１つの潤滑孔が設けられていることが有利である。これにより、各連行体に、対応する潤滑孔を介して冷却および潤滑のための潤滑剤流が的確に供給され得るので、連行ジョイントの複数の連行体が少量の潤滑剤によって信頼性良く冷却されかつ潤滑され得ることが簡単に達成される。
【００１５】
本発明のさらに別の有利な実施態様では、潤滑剤供給孔が、伝動軸の回転軸線に対して同軸に配置された長手方向孔として伝動軸に形成されている。伝動軸に同軸に、つまり中心孔として形成された長手方向孔は、僅かな構成手間をかけるだけで製作され得る。
【００１６】
本発明のさらに別の有利な実施態様では、潤滑剤供給孔が、伝動軸をハウジング内に回転可能に支承している軸受装置に向かって延びている。これにより、潤滑剤供給孔と、ハウジングに配置された潤滑剤接続部との接続を簡単に形成することができる。
【００１７】
本発明のさらに別の特に有利な実施態様では、伝動軸が、ハウジング内にシリンダブロックの両側で支承されており、ハウジングにおける伝動軸の支承部が、伝動フランジ側の軸受装置と、シリンダブロック側の軸受装置とを有しており、前記潤滑剤供給孔が、シリンダブロック側の軸受装置に向かって延びている。斜軸構造のアキシャルピストン機械では、一般に、アキシャルピストン機械の入力トルクもしくは出力トルクが、伝動軸の、伝動フランジ側の軸受装置を介してハウジング内に支承されている伝動フランジ側の範囲を介して供給もしくは導出されるので、伝動軸の、シリンダブロック側の軸受装置を介してハウジング内に支承されているシリンダブロック側の範囲は、伝動フランジ側の範囲よりも小さな負荷しか加えられない。したがって、伝動軸のシリンダブロック側の範囲に潤滑剤通路を配置することにより、利点が得られる。なぜならば、その場合には、伝動軸が、入力トルクもしくは出力トルクの伝達特性の点で、潤滑剤供給孔と潤滑孔とによって弱められることはなく、また伝動軸の直径を拡径する必要もないからである。
【００１８】
本発明のさらに別の有利な実施態様では、潤滑剤供給孔が、前記シリンダブロック側の軸受装置の範囲に供給開口を備えており、該供給開口が、当該アキシャルピストン機械のハウジングに配置された潤滑剤接続部に接続されている。このような供給開口を用いると、潤滑剤供給孔は、潤滑装置に潤滑剤を供給するために、アキシャルピストン機械のハウジングに配置された潤滑剤接続部に簡単に接続され得る。
【００１９】
僅かな構成手間の点では、前記供給開口が、伝動軸の軸方向の一方の端面に形成されていると有利である。
【００２０】
本発明のさらに別の有利な実施態様では、シリンダブロック側の軸受装置と、伝動軸の前記端面と、ハウジングとの間に、潤滑剤室が形成されており、該潤滑剤室が、前記潤滑剤接続部に接続されている。これにより、ハウジングに設けられた潤滑剤接続部を介して供給された潤滑剤が、連行ジョイントの連行体の潤滑および冷却のためにも、伝動軸のシリンダブロック側の軸受装置の潤滑および冷却のためにも使用され得ることが簡単に可能となる。したがって、圧力媒体排除されたハウジングを有するアキシャルピストン機械の運転時では、僅かな構成手間をかけるだけで、伝動軸のシリンダブロック側の軸受装置と、連行ジョイントの連行体との冷却および潤滑を得ることができる。
【００２１】
本発明のさらに別の有利な実施態様では、各連行体が、２つの半割体を備えた連行体対もしくは連行体ペアとして形成されており、前記半割体が、伝動軸とシリンダブロックとに交互に配置されていて、接触面によって互いに接触している。この場合、連行体ペアは、シリンダブロックに所属のシリンダブロック側の半割体と、伝動軸に所属の伝動軸側の半割体とを有しており、連行体ペアのシリンダブロック側の半割体は、シリンダブロックに設けられたベッド部内に収容されており、連行体ペアの伝動軸側の半割体は、伝動軸に設けられたベッド部内に収容されている。
【００２２】
この場合、本発明のさらに別の有利な実施態様では、前記潤滑装置によって、前記半割体に、前記接触面の範囲でかつ／または前記ベッド部の範囲で、潤滑剤が供給可能である。したがって、連行体ペアの半割体は、本発明における潤滑装置によって接触面と、半割体がベッド部内に配置されている側の面とにおいて簡単に冷却されかつ潤滑され得る。
【００２３】
本発明のさらに別の有利な実施態様では、連行ジョイントが、シリンダブロックと伝動軸とを回転同期的に回転させるための回転同期式の連行ジョイントとして形成されている。シリンダブロックの回転同期的な連行によって、伝動軸における一様の入力トルクもしくは出力トルクが得られ、そしてアキシャルピストン機械の構成部分に対する負荷が低減され得る。さらに、回転同期式の連行ジョイントによって、アキシャルピストン機械の騒音や、アキシャルピストン機械に連結されたパワートレーンの騒音が減じられる。
【００２４】
本発明のさらに別の有利な実施態様では、連行ジョイントが、コーンビーム型半割ローラジョイント（Kegelstrahl-Halbwalzengelenk）として形成されており、該コーンビーム型半割ローラジョイントが、半割体として２つの半円筒状の半割ローラを備えた連行体ペアとしての少なくとも１つのローラペアを有しており、この場合、半円筒状の半割ローラは、所定の回転軸線にまで平坦にされており、前記半割ローラは、平坦にされた側で平坦な滑り面を接触面として形成しており、該接触面において、前記ローラペアの前記半割ローラが、互いに接触して面接触を形成している。コーンビーム型半割ローラジョイントとして形成された連行ジョイントを用いると、連行ジョイントのために僅かな構成手間をかけるだけで、斜軸構造のアキシャルピストン機械におけるシリンダブロックの連行を達成することができる。伝動軸とシリンダブロックとの間のこのようなコーンビーム型半割ローラジョイントは、相応する幾何学的な設計により、ホモキネティック（homokinetisch）式の等速ジョイントとして簡単に形成され得る。このような等速ジョイントでは、シリンダブロックの正確でかつ一様な、つまり回転同期的な連行が行われる。さらに、シリンダブロックを連行するための連行ジョイントとして伝動軸とシリンダブロックとの間にコーンビーム型半割ローラジョイントが配置されると、伝動軸がシリンダブロックもしくはアキシャルピストン機械を貫いて軸方向で貫通案内され得るようになり、これによりシリンダブロックの両側で伝動軸を支承することができる。コーンビーム型半割ローラジョイントでは、各ローラペアの半割ローラがそれぞれペアになって配置されている。コーンビーム型半割ローラジョイントの各ローラペアの半割ローラは、ほぼ回転軸線にまで、ひいては長手方向軸線を含む平面において、平坦にされた円筒状の物体によって形成されている。平坦化により、半割ローラの平坦にされた側には、平坦な滑り面が接触面として形成される。この接触面においてローラペアの両半割ローラが互いに接触し、この接触面において、両平坦な面の間での面接触を介して力伝達が行われる。ローラペアはそれぞれ２つの半円筒状の半割ローラから成り、そしてこれらの半割ローラは所定の回転軸線にまで、ひいては半割ローラの長手方向軸線を含む平面において、平坦にされており、さらに平坦にされた側において互いに接触して面接触を形成し、これにより平坦な滑り面を形成している。このようなローラペアを用いると、シリンダブロックを連行するための力、ひいてはシリンダブロックを連行するためのトルクが、僅かな構成手間をかけるだけで伝達され得る。なぜならば、半割ローラが簡単にかつ廉価に製造可能となるからである。１つのローラペアの両半割ローラの間の接触面が平坦な滑り面として形成されており、そして力伝達のために１つのローラペアの両半割ローラの間に面接触が生じることにより、シリンダブロックの連行時に伝達したい力が高い場合でも、小さなヘルツ応力しか生じない。したがって、相応するローラペアにより形成されたコーンビーム型半割ローラジョイントは、さらに、たとえば高い回転加速度により生じる恐れのある過剰負荷に対して頑丈となる。したがって、本発明によるア���シャルピストン機械がハイドロモータとして構成される場合、本発明によるアキシャルピストン機械は、高い回転速度を有する使用においても使用され得る。本発明における潤滑装置を用いると、圧力媒体排除されたハウジングを有するアキシャルピストン機械の運転時に、両半割ローラに、平坦な滑り面として形成された接触面の範囲において、冷却および潤滑のための潤滑剤が供給され得る。
【００２５】
本発明のさらに別の特に有利な実施態様では、連行体、特に前記半割ローラが、半径方向でピストンよりも内側でかつ伝動軸およびシリンダブロックの回転軸線から間隔を置いて配置されている。したがって、好適にはコーンビーム型半割ローラジョイントとして形成された連行ジョイントは、ピストンを結ぶ輪およびピッチ円よりも内側に配置されており、これにより、アキシャルピストン機械の構成スペース節約的な構成が得られ、そして伝動軸に形成された潤滑剤通路を介して遠心力作用により連行体に的確に潤滑剤が冷却および潤滑のために供給され得る。さらに、連行体、たとえばローラペアの半割ローラが、伝動軸の回転軸線とシリンダブロックの回転軸線とに対して垂直の間隔を有しているので、平坦な滑り面により形成された接触面において、シリンダブロックを連行するためのトルクが伝達され得る。連行ジョイントの連行体、特にコーンビーム型半割ローラジョイントの半割ローラのこのような配置により、やはり、連行ジョイントに、シリンダブロックの回転軸線に対して同心に配置された長手方向穴を設け、これにより伝動軸を、シリンダブロックに通して両側の軸受部にまで貫通案内し、かつ連行体に、伝動軸に配置された潤滑剤通路によって遠心力作用により冷却および潤滑のための潤滑剤を供給することが簡単に可能となる。
【００２６】
本発明のさらに別の有利な実施態様では、各ローラペアが、シリンダブロックに所属のシリンダブロック側の半割ローラと、伝動軸に所属の伝動軸側の半割ローラとを有しており、各ローラペアのシリンダブロック側の半割ローラが、ベッド部としての円筒状、特に部分円筒状の、シリンダブロック側の収容部内に収容されており、各ローラペアの伝動軸側の半割ローラが、ベッド部としての円筒状、特に部分円筒状の、伝動軸側の収容部内に収容されている。このようなローラペアを用いると、シリンダブロックを連行するための力およびトルクを簡単に伝達することができる。相応する半割ローラが収容され、かつ支持されている円筒状の収容部は、僅かな構造手間をかけるだけで簡単に製作され得る。これにより、簡単かつ廉価に製作され得る半割ローラと相まって、シリンダブロックを連行するための連行ジョイントは、僅かな製造手間しか生ぜしめない。本発明における潤滑装置を用いると、圧力媒体排除されたハウジングを有するアキシャルピストン機械の運転時に、両半割ローラに、やはり伝動軸およびシリンダブロックに設けられたベッド部の範囲において、冷却および潤滑のための潤滑剤が供給され得る。
【００２７】
本発明によるアキシャルピストン機械は、一方の回転方向でのみ運転され得る。この場合、この回転方向のために、伝動軸とシリンダブロックとの間の所望の回転方向において連行トルクの伝達を可能にする１つまたは複数の連行体を設けるだけで十分となる。
【００２８】
本発明の有利な実施態様では、アキシャルピストン機械が両回転方向で運転可能であり、この場合、各回転方向のために、シリンダブロックを回転同期的に連行するためのそれぞれ少なくとも１つの連行体が設けられている。これにより、伝動軸とシリンダブロックとの間の両回転方向において連行トルクの伝達が簡単に得られる。
【００２９】
本発明によるアキシャルピストン機械は、固定の押しのけ容積を有する定容量型機械として形成されていてよい。
【００３０】
さらに、シリンダブロックを連行するために、連行ジョイントが、等速ジョイントとして簡単に形成され得るコーンビーム型半割ローラジョイントとして形成されている場合には、旋回角度の変更、つまり伝動軸の回転軸線とシリンダブロックの回転軸線との互いに相対的な旋回角度の変更が可能になるので、僅かな構成手間をかけるだけで、アキシャルピストン機械を、可変の押しのけ容積を有する可変容量型機械として形成することが可能になる。
【図面の簡単な説明】
【００３１】
【図１】斜軸構造の本発明によるアキシャルピストン機械の縦断面図である。
【図２】図１に示したアキシャルピストン機械の、連行ジョイントの範囲の拡大図である。
【図３】図２のＡ−Ａ線に沿った断面図である。
【発明を実施するための形態】
【００３２】
以下に、本発明を実施するための形態を図面につき詳しく説明する。
【００３３】
図１〜図３に示した、斜軸機械として形成された本発明によるハイドロスタティック式のアキシャルピストン機械１は、ハウジング２を有する。このハウジング２は、ハウジングポット２ａとハウジングカバー２ｂとから成っている。ハウジング２内には、伝動フランジ３を備えた伝動軸４が、軸受装置５ａ，５ｂによって回転軸線Ｒｔ周りに回転可能に支持されている。図示の実施形態では、伝動フランジ３が伝動軸４に一体成形されている。
【００３４】
伝動フランジ３に対して軸方向で隣接して、ハウジング２内にはシリンダブロック７が配置されている。シリンダブロック７は回転軸線Ｒｚ周りに回転可能に配置されていて、複数のピストン穴８を備えている。これらのピストン穴８は図示の実施形態では、シリンダブロック７の回転軸線Ｒｚに対して同心に配置されている。各ピストン穴８内には、１つのピストン１０が長手方向摺動可能に配置されている。
【００３５】
伝動軸４の回転軸線Ｒｔは交点Ｓにおいてシリンダブロック７の回転軸線Ｒｚと交差している。
【００３６】
シリンダブロック７は、シリンダブロック７の回転軸線Ｒｚに対して同心に配置された中央の１つの長手方向穴１１を備えている。この長手方向穴１１を貫いて伝動軸４が差し通されて延びている。アキシャルピストン機械１を貫いて貫通案内された伝動軸４は、シリンダブロック７の両側で軸受装置５ａ，５ｂによって支承されている。このためには、伝動軸４が、伝動フランジ側の軸受装置５ａによってハウジングポット２ａに支承されていて、シリンダブロック側の軸受装置５ｂによってハウジングカバー２ｂに支承されている。
【００３７】
伝動軸４の伝動フランジ側の端部は、入力トルクの導入もしくは出力トルクの取出しのためのトルク伝達手段１２、たとえばスプラインを備えて形成されている。アキシャルピストン機械１を貫いて貫通案内された伝動軸４の反対の側の端部、つまりシリンダブロック側の端部は、ハウジングカバー２ｂの範囲で終わっている。ハウジングカバー２ｂには、伝動軸４と軸受装置５ｂとを収容するために、伝動軸４の回転軸線Ｒｔに対して同心に配置された孔１４が形成されている。この孔１４は図示の実施形態では、貫通孔として形成されている。
【００３８】
シリンダブロック７は、ピストン穴８とピストン１０とにより形成された押しのけ室Ｖに対する圧力媒体の供給および導出を制御するために、制御面１５に接触している。この制御面１５は、図示されていない腎臓形の制御切欠き（キドニポート）を備えている。これらの制御切欠きは、アキシャルピストン機械１の流入接続部１６と流出接続部とを形成している。ピストン穴８とピストン１０とにより形成された押しのけ室Ｖを制御切欠きに接続するためには、シリンダブロック７が、各ピストン穴８に制御開口１８を備えている。
【００３９】
図１に示したアキシャルピストン機械１は、可変の押しのけ容積を有する可変容量型機械として形成されている。可変容量型機械では、伝動軸４の回転軸線Ｒｔに関するシリンダブロック７の回転軸線Ｒｚの傾斜角度α、ひいては旋回角度が、押しのけ容積を変えるために調節可能である。このためには、シリンダブロック７が接触している制御面１５が、揺動自在のクレードル体１００に形成されている。クレードル体１００はハウジング２内に、伝動軸４の回転軸線Ｒｔとシリンダブロック７の回転軸線Ｒｚとの交点Ｓに位置しかつ両回転軸線Ｒｔ，Ｒｚに対して直角に配置されている旋回軸線周りに旋回可能に配置されている。
【００４０】
クレードル体１００の位置に応じて、伝動軸４の回転軸線Ｒｔに対するシリンダブロック７の回転軸線Ｒｚの傾斜角度αが変化する。シリンダブロック７は、シリンダブロック７の回転軸線Ｒｚが伝動軸４の回転軸線Ｒｔに対して同軸となるゼロ位置へ旋回され得る。このゼロ位置を起点として、シリンダブロック７を片側または両側に旋回させることができるので、図１に示したアキシャルピストン機械１は、片側に旋回可能な可変容量型機械または両側に旋回可能な可変容量型機械として構成され得る。クレードル体１００を旋回させ、ひいてはシリンダブロック７を旋回させるための装置は、図１には図示されていない。
【００４１】
ピストン１０は、それぞれ伝動フランジ３に枢着式に取り付けられている。このためには、各ピストン１０と伝動フランジ３との間に、球面ジョイントとして形成された各１つのジョイント結合部２０が形成されている。ジョイント結合部２０は図示の実施形態では、ボールジョイントとして形成されている。このボールジョイントはピストン１０のボールヘッド１０ａと、伝動フランジ３に設けられた凹球面３ａとによって形成されており、この凹球面３ａ内にピストン１０のボールヘッド１０ａが取り付けられている。
【００４２】
ピストン１０は、それぞれ１つのつば区分１０ｂを有する。このつば区分１０ｂによってピストン１０はピストン穴８内に配置されている。このつば区分１０ｂは、ピストン１０のピストンロッド１０ｃによってボールヘッド１０ａに結合されている。
【００４３】
シリンダブロック７の回転時におけるピストン１０の補償運動を可能にするために、ピストン１０のつば区分１０ｂは遊びを持ってピストン穴８内に配置されている。このためには、ピストン１０のつば区分１０ｂが球面状に形成されていてよい。ピストン１０をピストン穴８に対してシールするためには、ピストン１０のつば区分１０ｂにシール手段２１、たとえばピストンリングが配置されている。
【００４４】
シリンダブロック７を支承しかつセンタリングするためには、シリンダブロック７と伝動軸４との間に球面状のガイド２５が形成されている。この球面状のガイド２５は、伝動軸４に設けられた球面状の区分２６によって形成されており、この球面状の区分２６には、シリンダブロック７の、中央の長手方向穴１１の範囲に配置された中空凹球面状の区分２７が配置されている。両区分２６，２７の中心点は、伝動軸４の回転軸線Ｒｔとシリンダブロック７の回転軸線Ｒｚとの交点Ｓに位置している。
【００４５】
アキシャルピストン機械１の運転時にシリンダブロック７の連行を得るためには、伝動軸４とシリンダブロック７との間に連行ジョイント３０が配置されている。この連行ジョイント３０は伝動軸４とシリンダブロック７とを回転方向で連結する。
【００４６】
連行ジョイント３０は、滑動体として形成された少なくとも１つの連行体Ｍ１〜Ｍ４を有する。連行体Ｍ１〜Ｍ４は伝動軸４とシリンダブロック７とに支持されている。このためには、各連行体Ｍ１〜Ｍ４が、図３に詳しく図示されているように、それぞれ伝動軸４に設けられたベッド部Ｂ１内と、シリンダブロック７に設けられたベッド部Ｂ２内とに収容されている。
【００４７】
連行体Ｍ１〜Ｍ４は、図示の実施形態では、それぞれ２つの半割体Ｍ１ａ，Ｍ１ｂ〜Ｍ４ａ，Ｍ４ｂを備えた連行体ペアＰ１〜Ｐ４として形成されている。これらの連行体ペアＰ１〜Ｐ４は、伝動軸４とシリンダブロック７とに交互に配置されていて、接触面ＢＦによって互いに接触している。各連行体ペアＰ１〜Ｐ４は、シリンダブロック７に所属のシリンダブロック側の半割体Ｍ１ａ，Ｍ２ａ，Ｍ３ａ，Ｍ４ａと、伝動軸４に所属の伝動軸側の半割体Ｍ１ｂ，Ｍ２ｂ，Ｍ３ｂ，Ｍ４ｂとを有する。この場合、連行体ペアＰ１〜Ｐ４のシリンダブロック側の半割体Ｍ１ａ，Ｍ２ａ，Ｍ３ａ，Ｍ４ａはシリンダブロック７に設けられたベッド部Ｂ２内に収容されており、連行体ペアＰ１〜Ｐ４の伝動軸側の半割体Ｍ１ｂ，Ｍ２ｂ，Ｍ３ｂ，Ｍ４ｂは伝動軸４に設けられたベッド部Ｂ１内に収容されている。
【００４８】
連行ジョイント３０は図示の実施形態では、等速ジョイントとして形成されている。この等速ジョイントは、伝動軸４とのシリンダブロック７の回転同期的な連行を可能にするので、シリンダブロック７と伝動軸４との均一な同期的な回転が生ぜしめられる。
【００４９】
等速ジョイントとして形成された連行ジョイント３０は、図示の実施形態ではコーンビーム型半割ローラジョイント（Kegelstrahl-Halbwalzengelenk）３１として形成されている。
【００５０】
以下に、図２および図３につき、シリンダブロック７と伝動軸４とを回転同期的に連結するコーンビーム型半割ローラジョイント３１の構造を詳しく説明する。
【００５１】
コーンビーム型半割ローラジョイント３１は、伝動軸４と、シリンダブロック７に相対回動不能に結合されたスリーブ状の連行エレメント４０との間に配置されている連行体ペアＰ１，Ｐ２，Ｐ３，Ｐ４としての複数のローラペア５０，５１，５２，５３により形成される。
【００５２】
スリーブ状の連行エレメント４０は、シリンダブロック７の中央の長手方向穴１１内に配置されている。連行エレメント４０は、シリンダブロック７にシリンダブロック７の長手方向において軸方向で、かつ周方向で位置固定されている。軸方向位置固定のためには、連行エレメント４０の一方の端面が、長手方向穴１１に設けられた直径段部１１ａに接触している。周方向位置固定、つまり回動防止は、位置固定手段４５によって行われる。この位置固定手段４５は図示の実施形態では、スリーブ状の連行エレメント４０とシリンダブロック７との間に配置された結合ピンによって形成されている。アキシャルピストン機械１を貫いて貫通案内された伝動軸４は、同じくスリーブ状の連行エレメント４０を貫いて延びている。このためには、スリーブ状の連行エレメント４０の内径が、シリンダブロック７の長手方向穴１１と整合した輪郭を備えている。
【００５３】
コーンビーム型半割ローラジョイント３１の複数のローラペア５０，５１，５２，５３のそれぞれは、半割体Ｍ１ａ，Ｍ１ｂ，Ｍ２ａ，Ｍ２ｂ，Ｍ３ａ，Ｍ３ｂ，Ｍ４ａ，Ｍ４ｂとして、それぞれ２つの、つまりそれぞれ一対の半円筒状の半割ローラ５０ａ，５０ｂ，５１ａ，５１ｂ，５２ａ，５２ｂ，５３ａ，５３ｂから成っている。半円筒状の半割ローラ５０ａ，５０ｂ，５１ａ，５１ｂ，５２ａ，５２ｂ，５３ａ，５３ｂは、それぞれほぼ回転軸線ＲＲｔ，ＲＲｚにまで平坦にされた円筒状の物体によって形成されている。平坦にされた側において、それぞれペアになって配置された半割ローラ５０ａ，５０ｂ，５１ａ，５１ｂ，５２ａ，５２ｂ，５３ａ，５３ｂは接触面ＢＦとして滑り面ＧＦを形成しており、この接触面ＢＦにおいて、各ローラペア５０，５１，５２，５３の両半割ローラ５０ａ，５０ｂ，５１ａ，５１ｂ，５２ａ，５２ｂ，５３ａ，５３ｂが、互いに接触して面接触を形成している。
【００５４】
半割ローラ５０ａ，５０ｂ，５１ａ，５１ｂ，５２ａ，５２ｂ，５３ａ，５３ｂ、ひいては半割体Ｍ１ａ，Ｍ１ｂ，Ｍ２ａ，Ｍ２ｂ，Ｍ３ａ，Ｍ３ｂ，Ｍ４ａ，Ｍ４ｂは、半径方向でピストン１０のピッチ円よりも内側でかつ回転軸線Ｒｔ，Ｒｚから間隔を置いて配置されている。したがって、連行ジョイント３０はピストン１０のピッチ円の内側に構成スペース節約的に配置され得るとともに、伝動軸４はコーンビーム型半割ローラジョイント３１の半割ローラの半径方向内側で貫通案内され得る。
【００５５】
各ローラペア５０，５１，５２，５３は、それぞれシリンダブロック７に所属のシリンダブロック側の半割ローラ５０ａ，５１ａ，５２ａ，５３ａと、伝動軸４に所属の伝動軸側の半割ローラ５０ｂ，５１ｂ，５２ｂ，５３ｂとを有し、両半割ローラは、平坦な滑り面ＧＦにおいて互いに接触している。
【００５６】
相応するローラペア５０，５１，５２，５３のシリンダブロック側の半割ローラ５０ａ，５１ａ，５２ａ，５３ａは、それぞれベッド部Ｂ２であるシリンダブロック側の円筒状の、特に部分円筒状の収容部５５ａ，５６ａ，５７ａ，５８ａ内に収容されており、ローラペア５０，５１，５２，５３の伝動軸側の半割ローラ５０ｂ，５１ｂ，５２ｂ，５３ｂは、それぞれベッド部Ｂ１である伝動軸側の円筒状の、特に部分円筒状の収容部５５ｂ，５６ｂ，５７ｂ，５８ｂ内に収容されている。
【００５７】
半割ローラ５０ａ，５１ａ，５２ａ，５３ａ，５０ｂ，５１ｂ，５２ｂ，５３ｂは、各円筒状の収容部５５ａ，５６ａ，５７ａ，５８ａ，５５ｂ，５６ｂ，５７ｂ，５８ｂ内で、相応する回転軸線の長手方向において位置固定されている。
【００５８】
このためには、各半割ローラ５０ａ，５１ａ，５２ａ，５３ａ，５０ｂ，５１ｂ，５２ｂ，５３ｂが、円筒状の区分につば６０を備えており、このつば６０は、対応する収容部５５ａ，５６ａ，５７ａ，５８ａ，５５ｂ，５６ｂ，５７ｂ，５８ｂに設けられた溝６１内に係合している。
【００５９】
図２には、ローラペア５０について、太線により伝動軸側の半割ローラ５０ｂが描かれており、細線により、伝動軸側の半割ローラ５０ｂに載置されたシリンダブロック側の半割ローラ５０ａが描かれている。さらに、ローラペア５１については、太線によりシリンダブロック側の半割ローラ５１ａが描かれており、細線により、このシリンダブロック側の半割ローラ５１ａに載置された伝動軸側の半割ローラ５１ｂが描かれている。半割ローラ５０ｂ，５１ａについては、図２の切断平面に位置する、平坦にされた平坦な滑り面ＧＦが描かれている。
【００６０】
コーンビーム型半割ローラジョイント３１では、図２に示したように、伝動軸側の半割ローラ５０ｂ，５１ｂ，５２ｂ，５３ｂの回転軸線ＲＲｔが、伝動軸４の回転軸線Ｒｔに対して所定の傾斜角γだけ傾けられている。伝動軸側の半割ローラ５０ｂ，５１ｂ，５２ｂ，５３ｂの回転軸線ＲＲｔは、交点Ｓｔにおいて伝動軸４の回転軸線Ｒｔと交差している。
【００６１】
したがって、複数の伝動軸側の半割ローラ５０ｂ，５１ｂ，５２ｂ，５３ｂの個々の回転軸線ＲＲｔは、交点Ｓｔに先端を有する伝動軸４の回転軸線Ｒｔ周りのいわば「コーンビーム（円錐形ビーム）」を形成する。
【００６２】
相応して、シリンダブロック側の半割ローラ５０ａ，５１ａ，５２ａ，５３ａの回転軸線ＲＲｚは、シリンダブロック７の回転軸線Ｒｚに対して所定の傾斜角γだけ傾けられている。シリンダブロック側の半割ローラ５０ａ，５１ａ，５２ａ，５３ａの回転軸線ＲＲｚは、交点Ｓｚにおいてシリンダブロック７の回転軸線Ｒｚと交差している。したがって、複数のシリンダブロック側の半割ローラ５０ａ，５１ａ，５２ａ，５３ａの個々の回転軸線ＲＲｚは、交点Ｓｚに先端を有するシリンダブロック７の回転軸線Ｒｚ周りのいわば「コーンビーム」を形成する。
【００６３】
シリンダブロック７の回転軸線Ｒｚに対するシリンダブロック側の半割ローラ５０ａ，５１ａ，５２ａ，５３ａの回転軸線ＲＲｚの傾斜角度γの大きさと、伝動軸４の回転軸線Ｒｔに対する伝動軸側の半割ローラ５０ｂ，５１ｂ，５２ｂ，５３ｂの回転軸線ＲＲｔの傾斜角度γの大きさとは、互いに等しい。したがって、互いに連結させたい伝動軸４とシリンダブロック７との半割ローラの回転軸線ＲＲｚ，ＲＲｔの傾斜角度γは互いに等しい。これにより、相応するローラペア５０〜５３においてそれぞれペア毎に、各１つのローラペアを形成する両半割ローラの、伝動軸４に所属の回転軸線ＲＲｔと、シリンダブロック７に所属の回転軸線ＲＲｚとが、伝動軸４の回転軸線Ｒｔとシリンダブロック７の回転軸線Ｒｚとの間の、角の二等分線に相当する平面Ｅにおいて交差することが得られる。この平面Ｅに位置する交点ＳＰにおいて、ペア毎に、各１つのローラペアを形成する２つの半割ローラの、伝動軸４に所属の各回転軸線ＲＲｔと、シリンダブロック７に所属の各回転軸線ＲＲｚとが交差している。この交点ＳＰは図２に示されている。したがって、平面Ｅは、伝動軸４の回転軸線Ｒｔに対して直角に位置する平面Ｅ１と、シリンダブロック７の回転軸線Ｒｚに対して直角に位置する平面Ｅ２とに関して、傾斜角度の１／２もしくは旋回角度αの１／２の角度で傾けられている。平面Ｅは回転軸線Ｒｔ，Ｒｚの交点Ｓを通って延びている。
【００６４】
各ローラペア５０，５１，５２，５３の半割ローラ５０ａ，５０ｂ，５１ａ，５１ｂ，５２ａ，５２ｂ，５３ａ，５３ｂは、回転軸線ＲＲｔ，ＲＲｚの交点ＳＰの範囲に配置されている。これにより、各ローラペア５０，５１，５２，５３の両半割ローラの交点ＳＰでは、シリンダブロック７の連行のために平坦な滑り面ＧＦの間での力伝達が行われる。
【００６５】
各ローラペア５０，５１，５２，５３の両半割ローラの交点ＳＰが、両回転軸線Ｒｔ，Ｒｚの間の角度を二等分した平面Ｅに位置することに基づき、伝動軸４の回転軸線Ｒｔおよびシリンダブロック７の回転軸線Ｒｚに対する交点ＳＰの垂直な半径方向の間隔ｒ１，ｒ２の大きさが互いに等しくなることが得られる。交点ＳＰの、半径方向の間隔ｒ１，ｒ２によって形成された互いに等しい大きさのてこ腕により、伝動軸４とシリンダブロック７との互いに等しい角速度が生じる。これにより、コーンビーム型半割ローラジョイント３１は、シリンダブロック７の、回転同期的でかつ均一な正確な連行および回転を可能にする等速ジョイントを形成する。
【００６６】
アキシャルピストン機械１の運転中に伝動軸４が回転する際に、伝動軸４の回転軸線Ｒｔに対してシリンダブロック７の回転軸線Ｒｚが傾斜角度もしくは旋回角度αで傾けられていると、各ローラペア５０，５１，５２，５３の両半割ローラの両滑り面ＧＦの相互滑りが行われる。さらに、相応する半割ローラの、円筒状の収容部５５ａ，５６ａ，５７ａ，５８ａ，５５ｂ，５６ｂ，５７ｂ，５８ｂによって形成されたベッド部Ｂ１，Ｂ２内で、各半円筒状の半割ローラの、各回転軸線ＲＲｔ；ＲＲｚ周りの回転が行われる。それぞれペアになって配置された半割ローラ５０ａ，５０ｂ，５１ａ，５１ａ，５１ｂ，５２ａ，５２ｂ，５３ａ，５３ｂの回転軸線ＲＲｚ，ＲＲｔの相互傾斜に基づき、相応する収容部５５ａ，５６ａ，５７ａ，５８ａ，５５ｂ，５６ｂ，５７ｂ，５８ｂ内での回転によって、互いに接触した半割ローラの平坦な面、ひいては滑り面ＧＦが、互いに対して位置調整され得る。
【００６７】
図１〜図３に示したアキシャルピストン機械１は、両回転方向で運転可能である。両回転方向においてシリンダブロック７の回転同期的な連行を得るためには、各回転方向のために、ひいてはシリンダブロック７を連行するための連行トルクの各トルク方向のために、それぞれ少なくとも１つの連行体Ｍ１〜Ｍ４もしくはローラペア５０〜５３が設けられている。
【００６８】
図示の実施形態では、逆時計周り方向における伝動軸４の回転時に、連行体Ｍ１，Ｍ２が、ひいてはローラペア５０，５１が、シリンダブロック７を連行するために働く。伝動軸４のこの回転方向では、ローラペア５０，５１の半割ローラ５０ａ，５０ｂおよび半割ローラ５１ａ，５１ｂの平坦な滑り面ＧＦにおいて、シリンダブロック７を連行するための連行トルクを発生させる力が伝達される。
【００６９】
図示の実施形態では、伝動軸４の逆向きの回転時、つまり時計周り方向における回転時に、連行体Ｍ３，Ｍ４が、ひいてはローラペア５２，５３が、シリンダブロック７を連行するために働く。ローラペア５２，５３の半割ローラ５２ａ，５２ｂおよび半割ローラ５３ａ，５３ｂの平坦な滑り面ＧＦにおいて、シリンダブロック７を連行するための連行トルクを発生させる力が伝達される。
【００７０】
図示の実施形態では、いずれの回転方向に対しても、それぞれ２つのローラペア５０，５１；５２，５３が、ひいては２つの連行体Ｍ１，Ｍ２；Ｍ３，Ｍ４が、設けられている。この場合、第１の回転方向のための連行体Ｍ１，Ｍ２もしくはローラペア５０，５１および第２の回転方向のための連行体Ｍ３，Ｍ４もしくはローラペア５２，５３は、全周にわたって均一に分配されている。これにより、半径方向の力補償を得ることができる。１回転方向当たり２つのローラペアを用いる図示の実施形態では、ローラペア５０，５１が１８０°の回転角度だけ互いにずらされて配置されており、ローラペア５２，５３が１８０°の回転角度だけ互いにずらされて配置されている。第１の回転方向のためのローラペア５０，５１は、第２の回転方向のためのローラペア５２，５３に対して９０°の回転角度だけずらされている。
【００７１】
図示の実施形態では、伝動軸側の半割ローラ５０ｂ，５１ｂ，５２ｂ，５３ｂのための伝動軸側の収容部５５ｂ，５６ｂ，５７ｂ，５８ｂが、ひいては連行体Ｍ１，Ｍ２，Ｍ３，Ｍ４のベッド部Ｂ１が、伝動軸４に形成されている。このためには、球面状の区分２６の範囲に伝動軸４がポケット状の切欠き７０，７１，７２，７３を備えており、これらの切欠き７０，７１，７２，７３の側面に、それぞれ１つの伝動軸側の収容部５５ｂ，５６ｂ，５７ｂ，５８ｂが、ひいてはベッド部Ｂ１が、形成されている。
【００７２】
図示の実施形態では、シリンダブロック側の半割ローラ５０ａ，５１ａ，５２ａ，５３ａのためのシリンダブロック側の収容部５５ａ，５６ａ，５７ａ，５８ａが、ひいては連行体Ｍ１，Ｍ２；Ｍ３，Ｍ４のベッド部Ｂ２が、スリーブ状の連行エレメント４０に形成されている。このためには、スリーブ状の連行エレメント４０がフィンガ状の隆起部４１，４２，４３，４４を備えている。これらのフィンガ状の隆起部４１，４２，４３，４４は、伝動軸４の方向に延びている。フィンガ状の隆起部４１，４２，４３，４４には、それぞれ１つのシリンダブロック側の収容部５５ａ，５６ａ，５７ａ，５８ａが、ひいてはベッド部Ｂ２が、形成されている。スリーブ状の連行エレメント４０はさらに、球面状のガイド２５の中空球面状の区分２７を備えている。
【００７３】
スリーブ状の連行エレメント４０のフィンガ状の隆起部４１，４２，４３，４４はそれぞれ、伝動軸４に設けられた、対応するポケット状の収容部７０，７１，７２，７３内に係合する。
【００７４】
本発明によるアキシャルピストン機械１は、圧力媒体排除されたハウジング２を用いた運転のために形成されている。圧力媒体排除されたハウジング２を用いた運転とは、アキシャルピストン機械の運転時における回転する伝動装置構成部分の撹拌損失を回避するために、回転する伝動装置構成部分が圧力媒体中に浸漬していないか、もしくは極めて僅かにしか浸漬しないような低い圧力媒体充填レベルしかハウジング２内に形成されていない状態でのアキシャルピストン機械１の運転を意味する。
【００７５】
連行ジョイント３０の連行体Ｍ１〜Ｍ４において潤滑剤を用いた潤滑および冷却を可能にするために、本発明によれば、連行ジョイント３０のための潤滑装置８０が設けられている。この潤滑装置８０によって、各連行体Ｍ１〜Ｍ４には、アキシャルピストン機械１のハウジング２に配置された潤滑剤接続部８１から、相応する連行体Ｍ１〜Ｍ４の冷却および潤滑のための潤滑剤、たとえばハイドロリックオイルが供給可能である。
【００７６】
本発明における潤滑装置８０は、伝動軸４に配置されていて、伝動軸４内に配置された潤滑剤通路８２を有する。
【００７７】
潤滑剤通路８２は、伝動軸４に配置された潤滑剤供給孔８３により形成されている。この潤滑剤供給孔８３は潤滑剤接続部８１に接続されている。さらに、連行ジョイント３０の各連行体Ｍ１〜Ｍ４のための潤滑剤通路８２は、伝動軸４に配置された潤滑孔８４〜８７を有する。潤滑孔８４〜８７はそれぞれ潤滑剤供給孔８３に接続されていて、伝動軸４の周面に向かって延びている。伝動軸４の周面では、潤滑孔８４〜８７がそれぞれ１つの開口９０〜９３を備えている。潤滑孔８４〜８７の開口９０〜９３は、図示の実施形態では、ポケット状の収容部７０，７１，７２，７３内に配置されていて、伝動軸４の周面において、伝動軸４の回転時に潤滑剤供給孔８３と潤滑孔８４〜８７とを介して供給された潤滑剤が、遠心力の発生によって対応する連行体Ｍ１〜Ｍ４へ流れるように配置されている。
【００７８】
潤滑孔８４〜８７は図示の実施形態では、それぞれ伝動軸４内に傾けられて配置されていて、開口９０〜９３がシリンダブロック７の方向に傾けられているので、潤滑孔８４〜８７は半径方向外側から、たとえば穿孔によって伝動軸４に加工成形され得る。したがって、潤滑孔８４〜８７は伝動軸４に簡単に製作され得る。伝動軸４内では、潤滑剤供給孔８３が、半径方向外側から所望の角度で伝動軸４のベッド部Ｂ１の傍らを通って穿孔される。
【００７９】
潤滑孔８４〜８７の傾斜角度は好適には、潤滑孔８４〜８７の長手方向軸線が、図２から判るように、伝動軸側の半割体Ｍ１ｂ，Ｍ２ｂ，Ｍ３ｂ，Ｍ４ｂの軸方向の中央範囲に向けられるように設定されている。したがって、伝動軸側の半割体Ｍ１ｂ，Ｍ２ｂ，Ｍ３ｂ，Ｍ４ｂが半円筒状の半割ローラ５０ｂ，５１ｂ，５２ｂ，５３ｂとして形成されていると、潤滑孔８４〜８７の長手方向軸線は、半割ローラ５０ｂ，５１ｂ，５２ｂ，５３ｂの軸方向の長手方向で見て、半割ローラの軸方向の中央範囲に向けられている。したがって、潤滑孔８４〜８７およびその開口９０〜９３は、それぞれ対応する連行体Ｍ１〜Ｍ４に向けられている。
【００８０】
したがって、遠心力作用により開口９０〜９３から流出した潤滑剤は、直接に対応する連行体Ｍ１〜Ｍ４へ流れる。したがって、各連行体ペアＰ１〜Ｐ４の両半割体Ｍ１ａ，Ｍ１ｂ〜Ｍ４ａ，Ｍ４ｂの接触面ＢＦならびに半割体Ｍ１ａ，Ｍ１ｂ〜Ｍ４ａ，Ｍ４ｂがベッド部Ｂ１，Ｂ２内に配置される際の面は、遠心力作用により開口９０〜９３から流出した潤滑剤によって直接に流過されるので、僅かな潤滑剤量を用いるだけで連行体Ｍ１〜Ｍ４の確実な冷却および潤滑が得られる。
【００８１】
潤滑剤供給孔８３は図示の実施形態では、伝動軸４の回転軸線Ｒｔに対して同軸に配置された長手方向孔として伝動軸４内に形成されている。
【００８２】
長手方向孔として形成された潤滑剤供給孔８３は図示の実施形態では、シリンダブロック側の軸受装置５ｂに向かって延びている。
【００８３】
シリンダブロック側の軸受装置５ｂの範囲では、潤滑剤供給孔８３が供給開口９５を備えている。この供給開口９５は、アキシャルピストン機械１のハウジング２に配置された潤滑剤接続部８１に接続されている。供給開口９５は図示の実施形態では、伝動軸４の軸方向の端面に形成されていて、潤滑剤供給孔８３の穿孔開口によって形成されている。潤滑剤供給孔８３は図示の実施形態では、盲孔として形成されており、この盲孔は伝動軸４のシリンダブロック側の端部から伝動軸４内に加工成形され得る。
【００８４】
潤滑剤供給孔８３を、ハウジング２に設けられた潤滑剤接続部８１に接続するために、軸受装置５ｂと、伝動軸４の端面と、ハウジング２との間には、潤滑剤室９６が形成されている。この潤滑剤室９６は潤滑剤接続部８１に接続されている。このためには、貫通孔として形成された孔１４内に、カバー９７が配置されている。このカバー９７は潤滑剤室９６を周辺に対してシールする。図示の実施形態では、潤滑剤接続部８１がカバー９７に形成されている。このためにはカバー９７が、たとえばねじ山付孔９８を備えており、このねじ山付孔９８には、潤滑剤管路が接続可能である。
【００８５】
さらに、潤滑剤室９６を介して、潤滑剤接続部８１において供給された潤滑剤によってシリンダブロック側の軸受装置５ｂの冷却および潤滑が可能となる。
【００８６】
本発明における潤滑装置８０は、圧力媒体排除されたハウジング２を有するアキシャルピストン機械１の運転時に、シリンダブロック７を連行するための連行ジョイント３０の連行体Ｍ１〜Ｍ４を、ハウジング側の潤滑剤接続部８１においてアキシャルピストン機械１に供給される潤滑剤によって簡単に冷却しかつ潤滑することを可能にする。本発明における潤滑装置８０を用いると、付加的に、伝動軸４のシリンダブロック側の軸受装置５ｂが、ハウジング側の潤滑剤接続部８１においてアキシャルピストン機械１に供給された潤滑剤によって冷却され、かつ潤滑され得る。
【００８７】
圧力媒体排除されたハウジング２を有するアキシャルピストン機械１の運転により、撹拌損失が低減され得るので、本発明によるアキシャルピストン機械１が、内燃機関式の駆動装置を備えた車両において使用される場合、内燃機関の燃料節約が得られる。
【００８８】
本発明は、図示の実施形態に限定されるものではない。本発明によるアキシャルピストン機械１は、可変容量型機械の代わりに択一的に定容量型機械として形成され得る。定容量型機械の場合には、伝動軸４の回転軸線Ｒｔに関するシリンダブロック７の回転軸線Ｒｚの傾斜角度αは一定でかつ固定となる。シリンダブロック７が接触する制御面１５は、この場合、ハウジング２に形成されていてよい。
【００８９】
もちろん、連行エレメント４０はシリンダブロック７に一体に形成され得る。
【符号の説明】
【００９０】
１  アキシャルピストン機械
２  ハウジング
３  伝動フランジ
４  伝動軸
５ａ，５ｂ  軸受装置
７  シリンダブロック
８  ピストン穴
１０  ピストン
３０  連行ジョイント
３１  コーンビーム型半割ローラジョイント
５０，５１，５２，５３  ローラペア
５０ａ，５０ｂ；５１ａ，５１ｂ；５２ａ，５２ｂ；５３ａ，５３ｂ  半割ローラ
５５ａ，５６ａ，５７ａ，５８ａ  シリンダブロック側の収容部
５５ｂ，５６ｂ，５７ｂ，５８ｂ  伝動軸側の収容部
８０  潤滑装置
８１  潤滑剤接続部
８２  潤滑剤通路
８３  潤滑剤供給孔
８４，８５，８６，８７  潤滑孔
９０，９１，９２，９３  開口
９５  供給開口
９６  潤滑剤室
ＢＦ  接触面
Ｂ１，Ｂ２  ベッド部
ＧＦ  滑り面
Ｍ１，Ｍ２，Ｍ３，Ｍ４  連行体
Ｍ１ａ，Ｍ１ｂ，Ｍ２ａ，Ｍ２ｂ，Ｍ３ａ，Ｍ３ｂ，Ｍ４ａ，Ｍ４ｂ  半割体
Ｐ１，Ｐ２，Ｐ３，Ｐ４  連行体ペア
Ｒｔ  回転軸線
Ｒｚ  回転軸線
【図１】
2015200317.tif 000003
【図２】
2015200317.tif 000004
【図３】
2015200317.tif 000005